(57)【要約】【課題】警備会社および利用者のリスクをなくすことができる電気錠解錠システムおよびホームセキュリティシステムを提供する。【解決手段】電気錠解錠システム２０は、ホームセキュリティ装置１０から送信されてくる異常情報が電気錠１を解錠すべき異常内容を示し、かつ、利用者の携帯電話３から警備会社への対処を要請する対処要請信号を受信した場合に、電気錠１の制御モードを施錠モードから解錠操作可能モードに変える電気錠モード制御手段２５〜２７と、電気錠モード制御手段２５〜２７が電気錠の制御モードを施錠モードから解錠操作可能モードに変えてから解錠信号待ち時間内に携帯電話３から解錠信号を受信すると、電気錠１を解錠させる電気錠制御信号をホームセキュリティ装置１０に送信する電気錠制御手段２８〜３０とを具備する。【選択図】図１
2008140299.tif 000002
【特許請求の範囲】
【請求項１】
利用者宅に設置されたホームセキュリティ装置（１０）と通信回線（５）を介して相互に接続され、かつ、該ホームセキュリティ装置と連携して電気錠（１）を解錠可能状態にするための電気錠解錠システム（２０）であって、
前記ホームセキュリティ装置から送信されてくる異常情報が前記電気錠を解錠すべき異常内容を示し、かつ、利用者の携帯端末（３）から警備会社への対処を要請する対処要請信号を受信した場合に、前記電気錠の制御モードを施錠モードから解錠操作可能モードに変える電気錠モード制御手段（２５〜２７）と、
該電気錠モード制御手段が前記電気錠の制御モードを施錠モードから解錠操作可能モードに変えてから解錠信号待ち時間内に前記携帯端末から解錠信号を受信すると、前記電気錠を解錠させる電気錠制御信号を前記ホームセキュリティ装置に送信する電気錠制御手段（２８〜３０）と、
を具備することを特徴とする、電気錠解錠システム。
【請求項２】
前記ホームセキュリティ装置から前記通信回線を介して前記異常情報を受信すると、該受信した異常情報をセキュリティ情報蓄積データベース（２３）に格納する異常情報受信部（２２）と、
該異常情報受信手段から入力される前記異常情報に基づいて異常通知信号を生成して、該生成した異常通知信号を前記携帯端末に送信する異常通知部（２４）と、
をさらに具備することを特徴とする、請求項１記載の電気錠解錠システム。
【請求項３】
前記電気錠モード制御手段が、
前記異常情報受信部から入力される前記異常情報に基づいて前記電気錠を解錠すべき異常内容か否かを判定し、「電気錠を解錠すべき異常内容である」と判定すると第１のモード移行指令信号を出力する異常内容判定部（２５）と、
前記携帯端末から前記対処要請信号を受信すると第２のモード移行指令信号を出力する対処要請信号送受信部（２６）と、
前記異常内容判定部から前記第１のモード移行指令信号が入力され、かつ、前記対処要請信号送受信部から前記第２のモード移行指令信号が入力されると、前記電気錠の制御モードを施錠モードから解錠操作可能モードに変える電気錠モード制御部（２７）と、
を備えることを特徴とする、請求項２記載の電気錠解錠システム。
【請求項４】
前記電気錠制御手段が、
前記電気錠モード制御部が前記電気錠の制御モードを施錠モードから解錠操作可能モードに変えると該電気錠モード制御部によって設定される解錠信号待ち時間が経過するまで解錠可能信号を出力するタイマ（２８）と、
該タイマから前記解錠可能信号が入力されている間に前記携帯端末から前記解錠信号を受信すると解錠指示信号を出力する解錠信号受信部（２９）と、
該解錠信号受信部から前記解錠指示信号が入力されると、前記電気錠を解錠させる電気錠制御信号を前記ホームセキュリティ装置に送信する電気錠制御部（３０）と、
を備えることを特徴とする、請求項３記載の電気錠解錠システム。
【請求項５】
前記解錠信号待ち時間が、前記警備会社の警備員が前記利用者宅に駆け付けるのに要する時間に応じて予め決められていることを特徴とする、請求項４記載の電気錠解錠システム。
【請求項６】
前記対処要請信号送受信部が、前記携帯端末から前記対処要請信号を受信すると、該受信した対処要請信号を前記警備会社の警備システム（４）に送信し、
前記警備会社の警備員が、前記利用者宅に到着すると、前記解錠信号を前記電気錠解錠システムに送信するように要求する解錠信号送信要求信号を前記携帯端末に送信する、
ことを特徴とする、請求項３乃至５いずれかに記載の電気錠解錠システム。
【請求項７】
前記異常情報が、動作した異常検出手段（１，２）および動作時刻を示し、
前記異常通知信号が、前記動作した異常検出手段および前記動作時刻を通知するとともに前記警備会社に対処を要請するか否かを問い合せる信号である、
ことを特徴とする、請求項２乃至６いずれかに記載の電気錠解錠システム。
【請求項８】
利用者宅に設置されたホームセキュリティ装置（１０）と、該ホームセキュリティ装置と通信回線（５）を介して相互に接続された電気錠解錠システム（２０）とを具備するホームセキュリティシステムであって、
前記ホームセキュリティ装置が、前記利用者宅に設置された異常検出手段（１，２）からの異常信号に基づいて異常情報を生成する異常検出部（１１）と、前記電気錠解錠システムから前記通信回線を介して送信されてくる前記電気錠制御信号に応じて前記電気錠の施錠操作および解錠操作を行う電気錠操作部（１２）とを備え、
前記電気錠解錠システムが、請求項１乃至７いずれかに記載の電気錠解錠システムである、
ことを特徴とする、ホームセキュリティシステム。
【発明の詳細な説明】
【技術分野】
【０００１】
本発明は、電気錠解錠システムおよびホームセキュリティシステムに関し、特に、ホームセキュリティ装置と連携して電気錠を解錠可能状態にすることができる電気錠解錠システムとこのような電気錠解錠システムを具備するホームセキュリティシステムとに関する。
【背景技術】
【０００２】
利用者宅に設置された電気錠を解錠するシステムとして、たとえば下記の特許文献１に開示されている緊急時自動解錠装置がある。この緊急時自動解錠装置では、利用者がトイレや風呂で身動きができなくなったときに携帯送信機のボタンを押下すると、家屋の玄関の扉に設置された電気錠を解錠するとともに、電話網を通じて予め定められた相手側端末を呼び出す。
【０００３】
しかし、ホームセキュリティ装置と連携して外出先から携帯電話（携帯端末）を用いて電気錠を解錠可能状態にすることができる電気錠解錠システムがないため、利用者は、外出中に利用者宅に異常が発生したときに警備会社の警備員が異常を確認するために利用者宅内に入ることができるように、鍵の取扱いについて以下の（１）から（３）に示すような取決めを警備会社との間で事前に交わしている。
（１）合鍵を警備会社に保管しておく。
（２）鍵の暗証番号を警備会社に連絡しておく。
（３）合鍵の保管場所を警備会社に連絡しておく。
【特許文献１】実開平６−６５９９９号公報
【発明の開示】
【発明が解決しようとする課題】
【０００４】
しかしながら、上記（１）から（３）に示したような事前の取決めでは、警備会社にとっては“合鍵を紛失する”、“鍵の暗証番号を忘れる”、“利用者からの対処要請に対して迅速に合鍵を持ち出せるようにしておく必要がある”などのリスクが発生するという問題がある。
また、利用者にとっては“警備会社に対処要請をしていないにもかかわらず合鍵を使用して家の中に侵入されるおそれがある”などのリスクが発生するという問題がある。
【０００５】
本発明の目的は、警備会社および利用者のリスクをなくすことができる電気錠解錠システムおよびホームセキュリティシステムを提供することにある。
【課題を解決するための手段】
【０００６】
本発明の電気錠解錠システムは、利用者宅に設置されたホームセキュリティ装置（１０）と通信回線（５）を介して相互に接続され、かつ、該ホームセキュリティ装置と連携して電気錠（１）を解錠可能状態にするための電気錠解錠システム（２０）であって、前記ホームセキュリティ装置から送信されてくる異常情報が前記電気錠を解錠すべき異常内容を示し、かつ、利用者の携帯端末（３）から警備会社への対処を要請する対処要請信号を受信した場合に、前記電気錠の制御モードを施錠モードから解錠操作可能モードに変える電気錠モード制御手段（２５〜２７）と、該電気錠モード制御手段が前記電気錠の制御モードを施錠モードから解錠操作可能モードに変えてから解錠信号待ち時間内に前記携帯端末から解錠信号を受信すると、前記電気錠を解錠させる電気錠制御信号を前記ホームセキュリティ装置に送信する電気錠制御手段（２８〜３０）とを具備することを特徴とする。
ここで、前記ホームセキュリティ装置から前記通信回線を介して前記異常情報を受信すると、該受信した異常情報をセキュリティ情報蓄積データベース（２３）に格納する異常情報受信部（２２）と、該異常情報受信手段から入力される前記異常情報に基づいて異常通知信号を生成して、該生成した異常通知信号を前記携帯端末に送信する異常通知部（２４）とをさらに具備してもよい。
前記電気錠モード制御手段が、前記異常情報受信部から入力される前記異常情報に基づいて前記電気錠を解錠すべき異常内容か否かを判定し、「電気錠を解錠すべき異常内容である」と判定すると第１のモード移行指令信号を出力する異常内容判定部（２５）と、前記携帯端末から前記対処要請信号を受信すると第２のモード移行指令信号を出力する対処要請信号送受信部（２６）と、前記異常内容判定部から前記第１のモード移行指令信号が入力され、かつ、前記対処要請信号送受信部から前記第２のモード移行指令信号が入力されると、前記電気錠の制御モードを施錠モードから解錠操作可能モードに変える電気錠モード制御部（２７）とを備えてもよい。
前記電気錠制御手段が、前記電気錠モード制御部が前記電気錠の制御モードを施錠モードから解錠操作可能モードに変えると該電気錠モード制御部によって設定される解錠信号待ち時間が経過するまで解錠可能信号を出力するタイマ（２８）と、該タイマから前記解錠可能信号が入力されている間に前記携帯端末から前記解錠信号を受信すると解錠指示信号を出力する解錠信号受信部（２９）と、該解錠信号受信部から前記解錠指示信号が入力されると、前記電気錠を解錠させる電気錠制御信号を前記ホームセキュリティ装置に送信する電気錠制御部（３０）とを備えてもよい。
前記解錠信号待ち時間が、前記警備会社の警備員が前記利用者宅に駆け付けるのに要する時間に応じて予め決められていてもよい。
前記対処要請信号送受信部が、前記携帯端末から前記対処要請信号を受信すると、該受信した対処要請信号を前記警備会社の警備システム（４）に送信し、前記警備会社の警備員が、前記利用者宅に到着すると、前記解錠信号を前記電気錠解錠システムに送信するように要求する解錠信号送信要求信号を前記携帯端末に送信してもよい。
前記異常情報が、動作した異常検出手段（１，２）および動作時刻を示し、前記異常通知信号が、前記動作した異常検出手段および前記動作時刻を通知するとともに前記警備会社に対処を要請するか否かを問い合せる信号であってもよい。
【０００７】
本発明のホームセキュリティシステムは、利用者宅に設置されたホームセキュリティ装置（１０）と、該ホームセキュリティ装置と通信回線（５）を介して相互に接続された電気錠解錠システム（２０）とを具備するホームセキュリティシステムであって、前記ホームセキュリティ装置が、前記利用者宅に設置された異常検出手段（１，２）からの異常信号に基づいて異常情報を生成する異常検出部（１１）と、前記電気錠解錠システムから前記通信回線を介して送信されてくる前記電気錠制御信号に応じて前記電気錠の施錠操作および解錠操作を行う電気錠操作部（１２）とを備え、前記電気錠解錠システムが、本発明の電気錠解錠システムであることを特徴とする。
【発明の効果】
【０００８】
本発明の電気錠解錠システムおよびホームセキュリティシステムは、以下に示す効果を奏する。
（１）合鍵を警備会社に保管したり、鍵の暗証番号を警備会社に連絡しておいたり、合鍵の保管場所を警備会社に連絡しておいたりする必要がないので、警備会社および利用者のリスクをなくすことができる。
（２）ホームセキュリティ装置から送信されてくる異常情報が電気錠を解錠すべき異常内容を示し、かつ、利用者の携帯端末から警備会社への対処を要請する対処要請信号を受信した場合にのみ電気錠の制御モードが施錠モードから解錠操作可能モードに変えられるので、利用者は外出先からでも安心して自宅の電気錠を解錠可能状態にすることができる。
（３）電気錠の制御モードが施錠モードから解錠操作可能モードに変えられてから解錠信号待ち時間内に利用者から解錠信号が送信されてこない場合には、電気錠を解錠することなく、利用者から警備会社に要請した対処要請時間と警備員から利用者に要請した解錠要請時間により、警備会社の出動時間を管理することができる。
【発明を実施するための最良の形態】
【０００９】
上記の目的を、ホームセキュリティ装置から送信されてくる異常情報が電気錠を解錠すべき異常内容を示し、かつ、利用者の携帯端末から警備会社への対処を要請する対処要請信号を受信した場合に、電気錠の制御モードを施錠モードから解錠操作可能モードに変えるとともに、電気錠の制御モードを施錠モードから解錠操作可能モードに変えてから解錠信号待ち時間内に携帯端末から解錠信号を受信すると、電気錠を解錠させる電気錠制御信号をホームセキュリティ装置に送信することにより実現した。
【実施例１】
【００１０】
以下、本発明の電気錠解錠システムおよびホームセキュリティシステムの実施例について、図面を参照して説明する。
本発明の一実施例によるホームセキュリティシステムは、図１に示すように、利用者宅に設置されたホームセキュリティ装置１０と、ホームセキュリティ装置１０とインターネット網５（通信回線）を介して相互に接続された電気錠解錠システム２０とを具備する。
【００１１】
ホームセキュリティ装置１０は、異常検出部１１と、電気錠操作部１２と、通信インターフェース１３とを備える。
ここで、異常検出部１１は、利用者宅に設置された電気錠１および各種センサ２などの異常検出手段からの信号（以下、「異常信号」と称する。）を受信すると、動作した異常検出手段（電気錠１またはセンサなど）および動作時刻などを示す異常情報を生成し、生成した異常情報を電気錠解錠システム２０に通信インターフェース１３およびインターネット網５を介して送信する。
電気錠操作部１２は、電気錠解錠システム２０からインターネット網５および通信インターフェース１３を介して電気錠制御信号を受信すると、受信した電気錠制御信号に応じて利用者宅に設置された電気錠１を施錠したり解錠したりする。
【００１２】
電気錠解錠システム２０は、第１および第２の通信インターフェース２１1，２１2と、異常情報受信部２２と、セキュリティ情報蓄積データベース２３と、異常通知部２４と、異常内容判定部２５と、対処要請信号送受信部２６と、電気錠モード制御部２７と、タイマ２８と、解錠信号受信部２９と、電気錠制御部３０とを備える。
【００１３】
ここで、異常情報受信部２２は、ホームセキュリティ装置１０からインターネット網５および第１の通信インターフェース２１1を介して異常情報を受信すると、受信した異常情報を受信日時データと共にセキュリティ情報蓄積データベース２３に格納する。また、異常情報受信部２２は、受信した異常情報を異常通知部２４および異常内容判定部２５に出力する。
【００１４】
異常通知部２４は、異常情報受信部２２から入力される異常情報に基づいて異常通知信号（「何時何分に○○○が動作した」旨を通知するとともに警備会社に対処を要請するか否かを問い合わせる信号）を生成して、生成した異常通知信号を第２の通信インターフェース２１2および携帯電話網６を介して利用者の携帯電話３に送信する。
【００１５】
異常内容判定部２５は、異常情報受信部２２から入力される異常情報に基づいて、電気錠を解錠すべき異常内容であるか否かを判定する。その結果、「電気錠を解錠すべき異常内容である」と判定した場合には、異常内容判定部２５は、電気錠１の制御モードを施錠モードから解錠操作可能モードに変えさせる第１のモード移行指令信号を電気錠モード制御部２７に出力する。
【００１６】
対処要請信号送受信部２６は、警備会社への対処を要請する対処要請信号を携帯電話３から携帯電話網６および第２の通信インターフェース２１2を介して受信すると、受信した対処要請信号を警備会社の警備システム４に第２の通信インターフェース２１2および電話回線を介して送信するとともに、電気錠１の制御モードを施錠モードから解錠操作可能モードに変えさせる第２のモード移行指令信号を電気錠モード制御部２７に出力する。
【００１７】
電気錠モード制御部２７は、通常は、電気錠１の制御モードを施錠モードにして、電気錠１を施錠させる電気錠制御信号を電気錠制御部３０から第１の通信インターフェース２１1およびインターネット網５を介してホームセキュリティ装置１０に送信すれば電気錠操作部１２によって電気錠１を施錠することができるが、電気錠１を解錠させる電気錠制御信号は電気錠制御部３０からホームセキュリティ装置１０に送信できないようにする。
【００１８】
しかし、電気錠モード制御部２７は、異常内容判定部２５から第１のモード移行指令信号が入力され、かつ、対処要請信号送受信部２６から第２のモード移行指令信号が入力されると、電気錠１の制御モードを施錠モードから解錠操作可能モードに変えて、電気錠１を解錠させる電気錠制御信号を電気錠制御部３０から第１の通信インターフェース２１1およびインターネット網５を介してホームセキュリティ装置１０に送信できるようにする。また、電気錠モード制御部２７は、警備員が利用者宅に駆け付けるのに要する時間に応じて予め決められている解錠信号待ち時間をタイマ２８に設定するとともに、タイマ２８を起動させる。
【００１９】
タイマ２８は、電気錠モード制御部２７によって設定された解錠信号待ち時間が経過するまで解錠可能信号を解錠信号受信部２９に出力する。
【００２０】
解錠信号受信部２９は、タイマ２８から解錠可能信号が入力されている間に解錠信号を携帯電話３から携帯電話網６および第２の通信インターフェース２１2を介して受信すると、電気錠１を解錠するように指示する解錠指示信号を電気錠制御部３０に出力する。
【００２１】
電気錠制御部３０は、解錠信号受信部２９から解錠指示信号が入力されると、電気錠１を解錠させる電気錠制御信号を第１の通信インターフェース２１1およびインターネット網５を介してホームセキュリティ装置１０に送信する。
【００２２】
次に、図１に示したホームセキュリティシステムの動作について、屋内人感センサ（各種センサ２の一つ）が利用者宅内に侵入した不審者を検知した場合を例として、図２および図３に示すフローチャートを参照して説明する。
【００２３】
不審者が利用者宅内に侵入して屋内人感センサが動作すると、屋内人感センサから異常信号がホームセキュリティ装置１０の異常検出部１１に送信される。異常検出部１１は、受信した異常信号に基づいて、動作した屋内人感センサおよび動作時刻（△△時××分）などを示す異常情報を生成して、生成した異常情報を通信インターフェース１３およびインターネット網５を介して電気錠解錠システム２０に送信する（図２のステップＳ１１）。
【００２４】
電気錠解錠システム２０の異常情報受信部２２は、第１の通信インターフェース２１1を介してこの異常情報を受信すると、受信した異常情報を受信日時データと共にセキュリティ情報蓄積データベース２３に格納する。また、異常情報受信部２２は、受信した異常情報を異常通知部２４および異常内容判定部２５に出力する（ステップＳ１２）。
【００２５】
異常通知部２４は、異常情報受信部２２から入力される異常情報に基づいて、異常通知信号（「△△時××分に屋内人感センサが動作した」旨を通知するとともに警備会社に対処を要請するか否かを問い合わせる信号）を生成して、生成した異常通知情報を第２の通信インターフェース２１2および携帯電話網６を介して利用者の携帯電話３に送信する（ステップＳ１３）。
【００２６】
また、異常内容判定部２５は、異常情報受信部２２から入力される異常情報が「不審者が利用者宅内に侵入している」旨を示すものであるため、「電気錠１を解錠すべき異常内容である」と判定して、電気錠１の制御モードを施錠モードから解錠操作可能モードに変えさせる第１のモード移行指令信号を電気錠モード制御部２７に出力する（ステップＳ１４）。
【００２７】
利用者は、携帯電話３に表示された異常通知の画面を見て「警備会社に対処を要請した方がよい」と思った場合には、携帯電話３を用いて対処要請信号を電気錠解錠システム２０に送信する。
【００２８】
電気錠解錠システム２０の対処要請信号送受信部２６は、利用者からの対処要請信号を第２の通信インターフェース２１2を介して受信すると、受信した対処要請信号を警備会社の警備システム４に第２の通信インターフェース２１2および電話回線を介して送信するとともに、電気錠１の制御モードを施錠モードから解錠操作可能モードに変えさせる第２のモード移行指令信号を電気錠モード制御部２７に出力する（ステップＳ１５）。
【００２９】
警備会社の担当者は、この対処要請信号を受信すると、対処要請があったので利用者宅に大至急行き、利用者宅に到着したら利用者の携帯電話３に連絡して電気錠１を解錠してもらうように、最寄りの警備員に指示する。
【００３０】
また、電気錠モード制御部２７は、異常内容判定部２５から第１のモード移行指令信号が入力され、かつ、対処要請信号送受信部２６から第２のモード移行指令信号が入力されると、電気錠１の制御モードを施錠モードから解錠操作可能モードに変え、解錠信号待ち時間をタイマ２８に設定するとともに、タイマ２８を起動させる（ステップＳ１６）。
【００３１】
タイマ２８は、電気錠モード制御部２７によって設定された解錠信号待ち時間が経過するまで解錠可能信号を解錠信号受信部２９に出力する（ステップＳ１７）。
【００３２】
利用者は、警備会社の警備員から「利用者宅に到着したので電気錠１を解錠してもらいたい」との連絡を携帯電話３で受け取ると、携帯電話３を用いて解錠信号を電気錠解錠システム２０に送信する。
【００３３】
解錠信号受信部２９は、タイマ２８から解錠可能信号が入力されている間に解錠信号を携帯電話３から第２の通信インターフェース２１2を介して受信すると、電気錠１を解錠するように指示する解錠指示信号を電気錠制御部３０に出力する（図３のステップＳ１８）。
【００３４】
電気錠制御部３０は、解錠信号受信部２９から解錠指示信号が入力されると、電気錠１を解錠させる電気錠制御信号を第１の通信インターフェース２１1およびインターネット網５を介してホームセキュリティ装置１０に送信する（ステップＳ１９）。
【００３５】
ホームセキュリティ装置１０の電気錠操作部１２は、この電気錠制御信号を通信インターフェース１３を介して受信すると、電気錠１を操作して解錠する（ステップＳ２０）。
【００３６】
以上説明したように、電気錠解錠システム２０では、異常内容判定部２５が「電気錠１を解錠すべき異常内容である」と判定し、かつ、利用者から警備会社への対処要請があった場合にのみ電気錠モード制御部２７が電気錠１の制御モードを施錠モードから解錠操作可能モードに変えるので、利用者は外出先からでも安心して電気錠１を解錠可能状態にすることができる。
また、電気錠モード制御部２７が電気錠１の制御モードを施錠モードから解錠操作可能モードに変えてから解錠信号待ち時間内に利用者から解錠信号が送信されてこない場合には、電気錠を解錠することなく、利用者から警備会社に要請した対処要請時間と警備員から利用者に要請した解錠要請時間により、警備会社の出動時間を管理することができる。
【００３７】
次に、電気錠１の制御モードの施錠モードから解錠操作可能モードへの移行条件について、具体的なケースの例を示した図４および図５を参照して説明する。
（１）施錠モードから解錠操作可能モードに変えられるケース
以下の３つケース（図４の上から３番目までケース）が発生した場合には、異常内容判定部２５において「電気錠１を解錠すべき異常内容である」と判定され、かつ、利用者から対処要請信号が送信されてくるため、電気錠１の制御モードが施錠モードから解錠操作可能モードに変えられる。
（ａ）屋内人感センサまたは屋内赤外線センサが宅内に侵入した不審者を検知した場合
（ｂ）火災報知器が火災発生を検知した場合やガス漏れセンサがガス漏れを検知した場合
（ｃ）電気メータが示す電気量や水道メータが示す水道量から生活リズムの異変を検知した場合
【００３８】
（２）利用者から対処要請信号が送信されてきても施錠モードのままとされるケース
以下に示す５つのケース（図４の上から４番目以降のケース）が発生した場合には、利用者から対処要請信号が送信されてきても、異常内容判定部２５において「電気錠１を解錠すべき異常内容ではない（通常）」と判定されるため、電気錠１のモードは施錠モードのままとされる。
（ａ）フェンスセンサや屋外赤外線センサが敷地内への不法侵入を検知した場合
（ｂ）玄関開閉センサが玄関の破壊を検知した場合やガラス破壊センサが窓の破壊を検知した場合
（ｃ）宅配業者などを装って来訪した不審者に身の危険を感じたりして利用者が非常通報装置を動作させた場合
（ｄ）車庫開閉センサおよびシャッターセンサが車庫への不法侵入を検知した場合
（ｅ）監視カメラが敷地周辺にストーカーなどの不審者が一定時間滞在したことを検知した場合
【００３９】
（３）異常内容判定部２５において「電気錠１を解錠すべき異常内容である」と判定されても施錠モードのままとされるケース
以下に示す２つのケース（図５の上から３番目までのケース）が発生した場合には、異常内容判定部２５において「電気錠１を解錠すべき異常内容である」と判定されても、利用者から対処要請信号が送信されてこないため、電気錠１のモードは施錠モードのままとされる。
（ａ）携帯電話３で電気錠１が解錠されたことを示す電気錠解錠信号を受信した場合
（ｂ）携帯電話３でドアホンから来客者通知信号を受信した場合
（ｃ）携帯電話３で防犯用照明の動作状態を知らせる信号を照明スイッチから受信した場合
【００４０】
（４）利用者から対処要請信号が送信されてこずかつ異常内容判定部２５において「電気錠１を解錠すべき異常内容ではない」と判定されるために電気錠１の制御モードが施錠モードのままとされるケース
以下に示す２つのケース（図５の上から４番目以降のケース）が発生した場合には、利用者から対処要請信号が送信されてこず、かつ、異常内容判定部２５において「電気錠１を解錠すべき異常内容ではない」と判定されるため、電気錠１のモードは施錠モードのままとされる。
（ａ）携帯電話３で在宅を装うために電動カーテンの動作状況を知らせる信号を位置センサから受信した場合
（ｂ）電圧リレーが停電を検知した場合や漏電遮断器が漏電を検知した場合
【００４１】
なお、電気錠解錠システム２０の動作モードが“通常モード”（電気錠１の制御モードが施錠モード）でかつ電気錠１の施錠状態が“解錠中”であるときに利用者が携帯電話３を用いてアクセスしてきた場合には、図６（ａ）に示すような電気錠１を施錠させるか否かの問合せ画面を電気錠制御部３０から第２の通信インターフェース２１2および携帯電話網６を介して利用者の携帯電話３に送信して、「施錠する」旨の信号を受信すると、電気錠制御部３０から電気錠１を施錠させる電気錠制御信号を第１の通信インターフェース２１1およびインターネット網５を介してホームセキュリティ装置１０に送信するようにしてもよい。
【００４２】
また、電気錠解錠システム２０の動作モードが“警戒モード”（電気錠１の制御モードが解錠操作可能モード）でかつ電気錠１の施錠状態が“施錠中”であるときに使用者が携帯電話３を用いてアクセスしてきた場合には、図６（ｂ）に示すような電気錠１を解錠させるか否かの問合せ画面を電気錠制御部３０から第２の通信インターフェース２１2および携帯電話網６を介して利用者の携帯電話３に送信して、「解錠する」旨の信号を受信すると、電気錠制御部３０から電気錠１を解錠させる電気錠制御信号を第１の通信インターフェース２１1およびインターネット網５を介してホームセキュリティ装置１０に送信するようにしてもよい。
このとき、利用者が警備会社の対応状況や状変履歴を確認することができるように警備会社や状変履歴のＵＲＬ（Uniform Resource Locator）や電子メールアドレスを表示してもよい。
【図面の簡単な説明】
【００４３】
【図１】本発明の一実施例によるホームセキュリティシステムの構成を示す図である。
【図２】図１に示したホームセキュリティシステムの動作について説明するためのフローチャートである。
【図３】図１に示したホームセキュリティシステムの動作について説明するためのフローチャートである。
【図４】電気錠１の制御モードの施錠モードから解錠操作可能モードへの移行条件について説明するための具体的なケースの例を示した表である。
【図５】電気錠１の制御モードの施錠モードから解錠操作可能モードへの移行条件について説明するための具体的なケースの例を示した表である。
【図６】図１に示した電気錠解錠システム２０の動作モードが“通常モード”および“警戒モード”のときに携帯電話３に表示させる画面の例を示す図である。
【符号の説明】
【００４４】
１  電気錠
２  各種センサ
３  携帯電話
４  警備システム
５  インターネット網
６  携帯電話網
１０  ホームセキュリティ装置
１１  異常検出部
１２  電気錠操作部
１３  通信インターフェース
２０  電気錠解錠システム
２１1，２１2  第１および第２の通信インターフェース
２２  異常情報受信部
２３  セキュリティ情報蓄積データベース
２４  異常通知部
２５  異常内容判定部
２６  対処要請信号送受信部
２７  電気錠モード制御部
２８  タイマ
２９  解錠信号受信部
３０  電気錠制御部
Ｓ１１〜Ｓ２０  ステップ
【図１】
2008140299.tif 000003
【図２】
2008140299.tif 000004
【図３】
2008140299.tif 000005
【図４】
2008140299.tif 000006
【図５】
2008140299.tif 000007
【図６】
2008140299.tif 000008